(57)【要約】【課題】トランスの故障等により所定の高電圧が発生していないことを認識することが可能なトランス異常検知装置を提供する。【解決手段】高圧トランスの漏れ電流を検知してその検知結果を出力するトランス異常検知装置１は、高圧トランスから発生している漏れ電流を検知して駆動電流として出力する漏れ電流検知回路２と、駆動電流を増幅する増幅回路３と、増幅された駆動電流が通電されることにより発光するＬＥＤ４とを備えている。高圧トランスが正常に駆動している場合、高圧トランスから漏れ電流が発生しているので、ＬＥＤ４が発光することにより、高圧トランスが正常に駆動していることを認識することが可能である。また、高圧トランスに異常が発生している場合、高圧トランスから漏れ電流が発生しないので、ＬＥＤ４が発光しないことにより、高圧トランスに異常が発生していることを認識することが可能である。【選択図】図１
2019032204.tif 000002
【特許請求の範囲】
【請求項１】
入力電圧を昇圧して高電圧を生じさせるトランスの駆動状態を検知する検知手段と、
前記検知手段が検知した検知結果を報知する報知手段と、
を備えたことを特徴とするトランス異常検知装置。
【請求項２】
前記検知手段が前記トランスの漏れ電流を検知する漏れ電流検知手段である、
ことを特徴とする請求項１に記載のトランス異常検知装置。
【請求項３】
前記報知手段が発光素子であり、前記検知結果に応じて発光する、
ことを特徴とする請求項１または２のいずれか１項に記載のトランス異常検知装置。
【請求項４】
前記報知手段が複数の発光素子から構成され、前記検知結果に応じて異なる前記発光素子を発光させるようにした、
ことを特徴とする請求項１または２のいずれか１項に記載のトランス異常検知装置。
【請求項５】
前記発光素子は、前記漏れ電流の電流値に応じて異なる色または輝度で発光する、
ことを特徴とする請求項４に記載のトランス異常検知装置。
【請求項６】
前記トランスと、
前記トランスにより発生した高電圧を出力する電極と、を備え、
前記電極は絶縁され、被治療者に前記電極から出力された前記高電圧を加え、前記被治療者の治療を行う電位治療装置であって、
前記トランスの近傍に、請求項１ないし５のいずれか１項に記載のトランス異常検知装置を配設した、
ことを特徴とする電位治療装置。
【発明の詳細な説明】
【技術分野】
【０００１】
本発明は、トランスの故障により高電圧が発生していないことを認識することが可能なトランス異常検知装置及び電位治療装置に関する。
【背景技術】
【０００２】
トランス（変圧器）を使用して商用電源の電圧を昇圧し、高電圧を発生させる装置として、頭痛や肩こり等の治療を行う電位治療装置が知られている（例えば、特許文献１参照。）。この電位治療装置は、トランスによって発生させた高電圧を電極に印加し、大地から絶縁された人体の患部または全身に高電圧を加えて治療を行う装置である。
【０００３】
図５は、このような電位治療装置の例として示す、電位治療装置１００の構成の例を示す斜視図である。この電位治療装置１００は、主として被治療者Ｈが着座する椅子１０１と、電位治療装置１００の操作を行うために椅子１０１の肘掛に配設された手元操作部１０２と、被治療者Ｈを高電圧で覆うために電極が内蔵されている通電部１０３，１０４と、これら通電部１０３，１０４に高電圧を印加するために高電圧を発生させる高電圧発生装置２００と、を備えている。
【０００４】
通電部１０３は、椅子１０１に被治療者Ｈが着座した時に被治療者Ｈの頭上に位置するように、椅子１０１の背もたれの上部に配設されている。通電部１０４は、椅子１０１に被治療者Ｈが着座した時に被治療者Ｈの足下に位置するように、椅子１０１の前方の床上に配設されている。図５に示すように、この電位治療装置１００に被治療者Ｈが着座した状態で駆動されると、通電部１０３と通電部１０４との間で高電圧が出力されて治療が行われる。
【０００５】
図６は、高電圧発生装置２００の例を示す機能ブロック構成図である。この高電圧発生装置２００は、電位治療装置１００の上記通電部１０３，１０４に印加する高電圧を発生させるもので、電源プラグ２０１と、メインスイッチ２０２と、出力スイッチ２０３と、ＡＣ／ＤＣ変換器２０４と、高圧トランス２０５と、マイコン２０６と、操作部２０７と、電極２０８と、ＬＥＤ２０９とを備える。
【０００６】
高圧トランス２０５は電位治療装置１００の椅子１０１の背面下部に設けられたケース体（図示は省略する）に内蔵され、このケース体から電源コードが延出され、その先端に電源プラグ２０１が設けられている。また、ケース体にはメインスイッチ２０２が設けられ、メインスイッチ２０２のオンで当該電位治療装置１００への給電がなされ電位治療装置１００がスタンバイ状態となる。
【０００７】
出力スイッチ２０３は、メインスイッチ２０２と高圧トランス２０５との間に配置され、マイコン２０６により制御される。マイコン２０６は、操作部２０７の操作により制御され、この操作部２０７は図５における手元操作部１０２に配設されている。
【０００８】
手元操作部１０２にはＬＥＤ２０９とスイッチ（図示は省略する。）とが配置され、該スイッチを操作するとマイコン２０６を制御し、出力スイッチ２０３のオン／オフ制御及びＬＥＤ２０９の点灯／消灯を行なうようになっている。ＡＣ／ＤＣ変換器２０４は、メインスイッチ２０２とマイコン２０６との間に配置され、メインスイッチ２０２をオンしたときに電源プラグ２０１からの交流（ＡＣ）を直流（ＤＣ）に変換してマイコン２０６に給電する。
【０００９】
電極２０８は、通電部１０３及び通電部１０４にそれぞれ内蔵されており、上記高圧トランス２０５によって発生された高電圧が印加される。
【００１０】
この高電圧発生装置２００は、電源プラグ２０１から給電されてメインスイッチ２０２をオン状態にすると操作部２０７の操作待ち（スタンバイ状態）となる。次に操作部２０７の操作により、マイコン２０６を制御して出力スイッチ２０３をオン状態にすると高圧トランス２０５により高電圧が発生され、電極２０８に高電圧が印加されて、通電部１０３と通電部１０４との間に電界が発生する。これと同時にマイコン２０６の制御により上記ＬＥＤ２０９が発光する。
【００１１】
特許文献１は上述のような電位治療装置１００と同様な電位治療器を示すもので、表示・入力制御回路１４により、高圧トランスＴ１の出力制御及び表示手段の表示／非表示の制御を行なっている。
【先行技術文献】
【特許文献】
【００１２】
【特許文献１】特開２０１７−０３８８３６号公報
【発明の概要】
【発明が解決しようとする課題】
【００１３】
ところで、高圧トランス２０５がレイヤーショート等、故障すると２次側出力端子から高電圧が出力されず、電極２０８に電圧が印加しないため、通電部１０３と通電部１０４との間に電界が発生しなくなる。又は、レイヤーショートの状況によっては所定の出力が発生せず、電界を感受しにくい状況となることがあった。
【００１４】
このように、高圧トランス２０５の故障で電界が生じていない場合であっても、図６に示すブロック構成ではＬＥＤ２０９が発光されてしまっており、電界は不可視なものであり、当該電位治療装置で治療する被治療者Ｈにとっては、治療中に電界を感受しにくい、又は、感受することができないものであるため、被治療者Ｈは治療中であると誤認してしまうという状態が生ずる。
【００１５】
特許文献１の電位治療器１にあっても、表示・入力制御回路１４で独立に高圧トランスＴ１及び表示を制御するため、高圧トランスＴ１にレイヤーショートが発生していても表示が行なわれた状態となり、被治療者Ｈは治療中であると誤認してしまう。
【００１６】
そこで本発明は、トランスの故障等により所定の高電圧が出力されていないことを検知することが可能なトランス異常検知装置及び電位治療装置を提供することを目的とする。
【課題を解決するための手段】
【００１７】
上記課題を解決するために、請求項１に記載の発明は、入力電圧を昇圧して高電圧を生じさせるトランスの駆動状態を検知する検知手段と、前記検知手段が検知した検知結果を報知する報知手段と、を備えたことを特徴とするトランス異常検知装置である。
【００１８】
請求項２に記載の発明は、請求項１に記載のトランス異常検知装置において、前記検知手段が前記トランスの漏れ電流を検知する漏れ電流検知手段である、ことを特徴とする。
【００１９】
請求項３に記載の発明は、請求項１または２のいずれか１項に記載のトランス異常検知装置において、前記報知手段が発光素子であり、前記検知結果に応じて発光する、ことを特徴とする。
【００２０】
請求項４に記載の発明は、請求項１または２のいずれか１項に記載のトランス異常検知装置において、前記報知手段が複数の発光素子から構成され、前記検知結果に応じて異なる前記発光素子を発光させるようにした、ことを特徴とする。
【００２１】
請求項５に記載の発明は、請求項４に記載のトランス異常検知装置において、前記発光素子は、前記漏れ電流の電流値に応じて異なる色または輝度で発光する、ことを特徴とする。
【００２２】
請求項６に記載の発明は、前記トランスと、前記トランスにより発生した高電圧を出力する電極と、を備え、前記電極は絶縁され、被治療者に前記電極から出力された前記高電圧を加え、前記被治療者の治療を行う電位治療装置であって、前記トランスの近傍に、請求項１ないし５のいずれか１項に記載のトランス異常検知装置を配設した、ことを特徴とする。
【発明の効果】
【００２３】
請求項１に記載の発明によれば、検知手段がトランスの駆動状態を検知し、報知手段は検知手段が検知した検知結果を報知するので、トランスの故障等により所定の高電圧が出力されていない場合、上記報知手段の結果から電界が発生されていないことを認識することが可能になる。
【００２４】
請求項２に記載の発明によれば、検知手段がトランスの漏れ電流を検知するので、トランスの故障等により所定の高電圧が出力されていないことを認識することが可能になる。これは、トランスが駆動して高電圧が出力されていると必ず漏れ電流が発生するので、検知手段が漏れ電流を検知すると、トランスの状態が正常であるため報知手段がその検知結果を報知することにより、トランスが正常に駆動して高電圧を出力していることを認識することができる。また、検知手段が漏れ電流を検知しない場合には、トランスの故障等により所定の高電圧が発生していないため報知手段がその検知結果を報知することにより、トランスの故障等を認識することができる。さらに、簡素な構成で高電圧の発生の有無を検知することが可能になる。
【００２５】
請求項３に記載の発明によれば、報知手段は発光素子からなり、検知結果に応じて発光するため、検知結果を視認することが可能になる。
【００２６】
請求項４に記載の発明によれば、報知手段は複数の発光素子から構成され、検知結果に応じて異なる発光素子が発光するので、例えば、トランスの出力電圧が複数段階設定されている場合、その出力電圧に応じて段階的にトランスの出力低下を認識することが可能になる。
【００２７】
請求項５に記載の発明によれば、報知手段は複数の発光素子から構成され、漏れ電流の電流値に応じて異なる個数の発光素子を発光させる制御手段を備えたので、トランスの出力電圧に応じて段階的に、トランスの出力低下を的確に認識することが可能になる。
【００２８】
請求項６に記載の発明によれば、トランスと、トランスにより発生した高電圧を出力する電極とを備えた電位治療装置のトランスの近傍に、上記トランス異常検知装置を備えたため、本発明のトランス異常検知装置を電位治療装置に適用することが可能になる。
【図面の簡単な説明】
【００２９】
【図１】この発明の実施の形態１に係るトランス異常検知装置１を高電圧発生装置１０の高圧トランス１５の近傍に配設した例を示す機能ブロック構成図である。
【図２】この発明の実施の形態２に係るトランス異常検知装置１Ａを高電圧発生装置１０Ａの近傍に配設した例を示す機能ブロック構成図である。
【図３】図２のトランス異常検知装置１Ａの制御処理の例を示すフローチャートである。
【図４】この発明の実施の形態３に係る高電圧発生装置１０Ｂを電位治療装置に適用した例を示す機能ブロック構成図である。
【図５】電位治療装置１００の構成の例を示す斜視図である。
【図６】図５の電位治療装置１００に配設される高電圧発生装置２００の例を示す機能ブロック構成図である。
【発明を実施するための形態】
【００３０】
以下、この発明を図示の実施の形態に基づいて説明する。
【００３１】
（実施の形態１）
図１は、この発明の実施の形態１に係るトランス異常検知装置１を高電圧発生装置１０の高圧トランス１５の近傍に配設した例を示す機能ブロック構成図である。この高電圧発生装置１０が図６で例示した従来の高電圧発生装置２００と相違する点は、ＬＥＤがマイコンに制御されていない点である。
【００３２】
トランス異常検知装置１は、高圧トランス１５の漏れ電流を検知する漏れ電流検知回路（検知手段）２と、増幅回路３と、ＬＥＤ（報知手段・発光素子）４とを有する。漏れ電流検知回路２は、高圧トランスから発生する漏れ電流を検知して出力する回路構成であり、漏れ電流を検知するためのアンテナ２１や、抵抗等により構成されている。この漏れ電流検知回路２は、高圧トランス１５の近傍に非接触状態で配設されている。増幅回路３は、漏れ電流検知回路２が検知した漏れ電流を駆動電流として出力し、この駆動電流をＬＥＤ４が発光する程度に増幅するものでトランジスタ等により構成され、漏れ電流検知回路２の出力側に接続されている。ＬＥＤ４は、増幅回路３の出力側に接続され漏れ電流検知回路２が出力する駆動電流の電流値が所定値（例えば、１ｍＡ）以上の場合に発光するようになっている。
【００３３】
また、トランス異常検知装置１は、電源プラグ１１、メインスイッチ１２、出力スイッチ１３、ＡＣ／ＤＣ変換器１４、高圧トランス１５、マイコン１６、操作部１７、及び電極１８を備えており、図６で例示した上記高電圧発生装置２００と異なる点はマイコンにより制御されるＬＥＤ２０９を備えていない点である。そのため、マイコン１６は、操作部１７の操作により出力スイッチ１３の制御を行うが、ＬＥＤの発光制御は行わない。
【００３４】
高圧トランス１５は、高電圧発生装置２００の高圧トランス２０５と同様に、電極１８に高電圧を印加する装置であり、電磁誘導によって電圧を発生させ、コイルの巻き数によって電圧を昇圧または降圧する装置である。そのため、高圧トランス１５が駆動しているときには、コイルから漏れ電流が発生する。漏れ電流検知回路２は、この漏れ電流を検知して駆動電流として出力する装置である。
【００３５】
なお、高電圧発生装置１０は、図４のような電位治療装置１００に配設される装置に限られず、高電圧を発生させる装置であれば他の用途で使用されても良い。また、操作部１７は、有線で接続される構成に限られず、無線で信号を送受信する構成であっても良い。
【００３６】
次に、このトランス異常検知装置１の作用等について説明する。
【００３７】
高電圧発生装置１０は、電源プラグ１１から給電され、メインスイッチ１２がオン状態になると駆動され、ＡＣ／ＤＣ変換器１４によりＡＣ／ＤＣ変換された電流がマイコン１６に供給され出力スイッチ１３の制御が可能な状態（スタンバイ状態）となる。操作部１７の操作により出力スイッチ１３がオン状態になると、高圧トランス１５の駆動が開始されて高電圧が発生され、電極１８から出力される。
【００３８】
高圧トランス１５の駆動が開始され、高圧トランス１５が正常に駆動している場合、高圧トランス１５から漏れ電流が発生している。トランス異常検知装置１の漏れ電流検知回路２は、この漏れ電流を検知し、駆動電流として出力してこの駆動電流を増幅回路３へ出力する。この駆動電流は、増幅回路３によって増幅され、この駆動電流の電流値が所定値より大きい場合、ＬＥＤ４が発光する。これにより、高圧トランス１５が正常に駆動していることを認識することができる。
【００３９】
また、高圧トランス１５がレイヤーショート等の故障により異常が発生している場合、高圧トランス１５から漏れ電流が発生していない。そのため、トランス異常検知装置１の漏れ電流検知回路２は、電流値が所定値以上の漏れ電流を検知できないので、上記駆動電流が増幅回路３へ出力されることはなく、ＬＥＤ４は発光しない。これにより、高圧トランス１５が故障により異常が発生していることを認識することができる。
【００４０】
以上のように、このトランス異常検知装置１によれば、高圧トランス１５が正常に駆動しており、高圧トランス１５から漏れ電流が発生している場合、漏れ電流検知回路２がこの漏れ電流を検知し、増幅回路３で増幅して駆動電流としてＬＥＤ４を発光させる。一方、高圧トランス１５がレイヤーショート等の故障により異常が発生しており、高圧トランス１５から所定値以上の漏れ電流が発生していない場合、漏れ電流検知回路２は上記駆動電流を検知できないので、ＬＥＤ４は発光することはない。よって、高圧トランス１５が故障した場合にはＬＥＤ４は発光することがないため、高圧トランス１５が駆動していると誤認することはない。
【００４１】
また、トランス異常検知装置１は、漏れ電流検知回路２、増幅回路３、及びＬＥＤ４から構成されているので、簡素な構成で高電圧の発生の有無を検知することが可能になる。
【００４２】
なお、この実施の形態では電位治療装置における高圧トランスの異常（レイヤーショートなど）による利用者（被治療者Ｈ）が故障していることに気がつかない状況を解決するものについて説明したが、本発明トランス異常検知装置はこれに限らず、高電圧を発生させる装置一般に適用することができる。
【００４３】
（実施の形態２）
図２は、この発明の実施の形態２に係るトランス異常検知装置１Ａを高電圧発生装置１０Ａの近傍に配設した例を示す機能ブロック構成図である。このトランス異常検知装置１Ａは、実施の形態１に係るトランス異常検知装置１に加えて、新たに比較器（制御手段）５を備え、ＬＥＤ４に代えて、複数のＬＥＤ４ａ，４ｂを備えている点において、実施の形態１に係るトランス異常検知装置１と異なる。また、高電圧発生装置１０Ａは、実施の形態１に係る高電圧発生装置１０の出力スイッチ１３に代えて、複数の出力スイッチ１３ａ，１３ｂを備え、新たに降圧変圧器１９を備えている点において、実施の形態１に係る高電圧発生装置１０と異なる。
【００４４】
比較器５は、漏れ電流検知回路２によって検知した漏れ電流を駆動電流として出力し、この駆動電流を増幅回路３によって増幅された上記駆動電流の電流値を比較し、所定の電流値未満の場合はＬＥＤ４ａにのみ駆動電流を流し、所定の電流値以上の場合はＬＥＤ４ａ，４ｂの両方に駆動電流を流す装置である。ＬＥＤ４ａ，４ｂは、実施の形態１に係るＬＥＤ４と同様の発光素子である。これにより、増幅回路３によって増幅された駆動電流が所定の電流値未満の場合はＬＥＤ４ａのみ発光し、所定の電流値以上の場合はＬＥＤ４ａ，４ｂの両方が発光する構成となっている。
【００４５】
出力スイッチ１３ａ，１３ｂは、高圧トランス１５の駆動のオン／オフ制御を行うスイッチであり、高圧トランスの入力側に並列に接続されている。降圧変圧器１９は、電源プラグ１１から供給されている商用電力を降圧する装置である。また、マイコン１６は、操作部１７の操作により、出力スイッチ１３ａがオン状態で出力スイッチ１３ｂがオフ状態の場合、出力スイッチ１３ａがオフ状態で出力スイッチ１３ｂがオン状態の場合、または出力スイッチ１３ａ，１３ｂがともにオフ状態の場合、の３パターンに制御する。これにより、出力スイッチ１３ａがオン状態の場合には電源プラグ１１から供給されている商用電力がそのまま高圧トランス１５に流され、出力スイッチ１３ｂがオン状態の場合には電源プラグ１１から供給されている商用電力が降圧変圧器１９によって降圧されて高圧トランス１５に流され、出力スイッチ１３ａ，１３ｂがともにオフ状態の場合には高圧トランス１５は駆動しない構成となっている。その他の構成については、実施の形態１に係るトランス異常検知装置１及び高電圧発生装置１０と同様である。
【００４６】
次に、このトランス異常検知装置１Ａの作用等について説明する。
【００４７】
高電圧発生装置１０Ａは、実施の形態１に係る高電圧発生装置１０と同様に、電源プラグ１１から給電され、メインスイッチ１２がオン状態になると駆動され、ＡＣ／ＤＣ変換器１４によりＡＣ／ＤＣ変換された電流がマイコン１６に供給されて出力スイッチ１３ａ、１３ｂの制御が可能な状態（スタンバイ状態）となる。操作部１７の操作により出力スイッチ１３ａがオン状態、または出力スイッチ１３ｂがオン状態になると、高圧トランス１５の駆動が開始されて高電圧が発生し、電極１８から出力される。このとき、出力スイッチ１３ａがオン状態の場合、商用電力がそのまま高圧トランス１５に流されるので、高い電圧が高圧トランス１５から発生して出力される高電圧も高くなる（「高」状態）。一方、出力スイッチ１３ｂがオン状態の場合、商用電力が降圧変圧器１９によって降圧されて高圧トランス１５に流されるので、低い電圧が高圧トランス１５から発生して出力される高電圧も低くなる（「低」状態）。
【００４８】
図３は、図２のトランス異常検知装置１Ａの制御処理の例を示すフローチャートである。漏れ電流検知回路２は、高圧トランス１５から発生している漏れ電流を検知し（ステップＳ１）、この漏れ電流を駆動電流として増幅回路３へ出力する。増幅回路３は、駆動電流を増幅し（ステップＳ２）、比較器５へ出力する。比較器５は、駆動電流の電流値が「高」状態の場合に想定される第１閾値（所定の電流値）と比較し（ステップＳ３）、第１閾値以上の場合（ステップＳ３で「ＹＥＳ」の場合）にＬＥＤ４ａ，４ｂの両方に駆動電流を流す（ステップＳ４）。第１閾値未満の場合（ステップＳ３で「ＮＯ」の場合）、比較器５は、駆動電流の電流値が「低」状態の場合に想定される第２閾値（所定の電流値）と比較し（ステップＳ５）、第２閾値以上の場合（ステップＳ５で「ＹＥＳ」の場合）にＬＥＤ４ａにのみ駆動電流を流す（ステップＳ６）。第２閾値未満の場合（ステップＳ５で「ＮＯ」の場合）、比較器５は、ＬＥＤ４ａ，４ｂの両方に駆動電流を流さない（ステップＳ７）。
【００４９】
高圧トランス１５が「高」状態で駆動が開始され、高圧トランス１５が正常に駆動している場合、高圧トランス１５から漏れ電流が発生している。この漏れ電流の電流値は、高圧トランス１５が出力する高電圧に比例して高くなる。このときの漏れ電流が駆動電流として増幅され、この駆動電流の電流値は、第１閾値よりも高くなるように設定されている。そのため、ＬＥＤ４ａ，４ｂの両方が発光する。これにより、高圧トランス１５が「高」状態で正常に駆動していることを認識することができる。
【００５０】
高圧トランス１５が「低」状態で駆動が開始され、高圧トランス１５が正常に駆動している場合、高圧トランス１５から漏れ電流が発生している。この漏れ電流の電流値は、前述の「高」状態と比較すると低くなる。このときの駆動電流の電流値は、第１閾値よりも低く、第２閾値よりも高くなるように設定されている。そのため、ＬＥＤ４ａのみが発光する。これにより、高圧トランス１５が「低」状態で正常に駆動していることを認識することができる。
【００５１】
また、高圧トランス１５がレイヤーショート等の故障により異常が発生している場合は、実施の形態１に係る高電圧発生装置１０と同様に、高圧トランス１５から漏れ電流が発生していない。そのため、トランス異常検知装置１Ａの漏れ電流検知回路２は、漏れ電流を検知できないので、駆動電流の電流値は第２閾値よりも低くなり、駆動電流が増幅回路３へ出力されることはなく、ＬＥＤ４ａ，４ｂともに発光しない。これにより、高圧トランス１５が故障により異常が発生していることを認識することができる。
【００５２】
以上のように、このトランス異常検知装置１Ａによれば、ＬＥＤ４ａ，４ｂは、比較器５に設定されている所定の電流値により、ＬＥＤ４ａ，４ｂが発光する場合と、ＬＥＤ４ａのみが発光する場合とがあり、それぞれ高圧トランス１５が「高」状態で駆動している場合と、「低」状態で駆動している場合とに対応するので、高圧トランス１５が「高」状態で正常に駆動していること、高圧トランス１５が「低」状態で正常に駆動していること、または高圧トランス１５が故障により異常が発生していることを的確に認識することが可能になる。
【００５３】
なお、複数のＬＥＤ４ａ，４ｂを、駆動電流の電流値に応じてそれぞれ異なる色または輝度に発光するように構成しても良い。このようにすると、高圧トランス１５の状態を視覚的に容易に把握することができる。
【００５４】
また、実施の形態２に係るトランス異常検知装置１Ａでは、高圧トランス１５が「高」状態のときにＬＥＤ４ａ，４ｂの両方を発光させ、「低」状態のときにＬＥＤ４ａのみを発光させる構成としたが、高圧トランス１５が「高」状態のときにＬＥＤ４ｂのみを発光させ、「低」状態のときにＬＥＤ４ａのみを発光させる構成としても良い。これは、比較器５とＬＥＤ４ａ，４ｂとの間にスイッチを設けることにより可能である。
【００５５】
（実施の形態３）
図４は、この発明の実施の形態３に係る高電圧発生装置１０Ｂを電位治療装置に適用した例を示す機能ブロック構成図である。この高電圧発生装置１０Ｂは、実施の形態１に係る高電圧発生装置１０の電極１８に代えて、２つの電極１８ａ，１８ｂを備えている点において、実施の形態１に係る高電圧発生装置１０と異なる。なお、この高電圧発生装置１０Ｂの高圧トランス１５の漏れ電流を検知し、その検知結果を出力するトランス異常検知装置１Ｂは、実施の形態１に係るトランス異常検知装置１と同様の構成を備えている。そして、トランス異常検知装置１及び高電圧発生装置１０Ｂは、図４に示すような電位治療装置に配設されている。
【００５６】
２つの電極１８ａ，１８ｂは、高圧トランス１５によって印加された高電圧を出力するための電極であり、図４に示すような電位治療装置１００に配設されている。図４に示すように、電極１８ａは、椅子１０１に被治療者Ｈが着座した時に、被治療者Ｈの背もたれの上部に位置するように配設されている通電部１０３に内蔵されている。電極１８ｂは、椅子１０１に被治療者Ｈが着座した時に被治療者Ｈの足下に位置するように配設されている通電部１０４に内蔵されている。その他の構成については、実施の形態１に係る高電圧発生装置１０と同様である。
【００５７】
次に、このトランス異常検知装置１Ｂの作用等について説明する。
【００５８】
高電圧発生装置１０Ｂは、実施の形態１に係る高電圧発生装置１０と同様に、電源プラグ１１から給電され、メインスイッチ１２がオン状態になると駆動され、ＡＣ／ＤＣ変換器１４によりＡＣ／ＤＣ変換された電流がマイコン１６に供給されて出力スイッチ１３の制御が可能な状態（スタンバイ状態）となる。操作部１７の操作により出力スイッチ１３がオン状態になると、高圧トランス１５の駆動が開始されて高電圧を発生させる。この高電圧は、電極１８ａと電極１８ｂとに印加され、電極１８ａ及び電極１８ｂから出力された高電圧によって被治療者Ｈの治療が行なわれる。
【００５９】
高圧トランス１５の駆動が開始され、高圧トランス１５が正常に駆動している場合、高圧トランス１５から漏れ電流が発生している。トランス異常検知装置１の漏れ電流検知回路２は、実施の形態１に係る高電圧発生装置１０と同様に、この漏れ電流を検知し、増幅回路３へ駆動電流として出力する。この駆動電流は、増幅回路３によって増幅され、ＬＥＤ４に出力されてＬＥＤ４が発光する。これにより、高圧トランス１５が正常に駆動していることを認識することができる。
【００６０】
また、高圧トランス１５がレイヤーショート等の故障により異常が発生している場合、高圧トランス１５から漏れ電流が発生していない。そのため、トランス異常検知装置１の漏れ電流検知回路２は、漏れ電流を検知できないので、駆動電流が増幅回路３へ出力されることはなく、ＬＥＤ４は発光しない。これにより、高圧トランス１５が故障により異常が発生していることを認識することができる。
【００６１】
以上のように、このトランス異常検知装置１Ｂによれば、電位治療装置に配設されているので、このトランス異常検知装置１Ｂを電位治療装置に適用することが可能になる。
【００６２】
以上、この発明の実施の形態について説明したが、具体的な構成は、上記の実施の形態に限られるものではなく、この発明の要旨を逸脱しない範囲の設計の変更等があっても、この発明に含まれる。例えば、増幅回路３の出力をマイコン１６に入力し出力スイッチ１３（１３ａ，１３ｂ）がオンにも関わらず増幅回路の出力が無い場合、別に設けたブザーを鳴らしたり、別に設けた異常報知ＬＥＤを点滅させたり、或いは液晶パネルなどで異常を報知するようにしてもよい。また、上記の実施の形態では、トランス異常検知装置は高圧トランスから発生している漏れ電流を検知したが、高圧トランスの温度を検知したり、高圧トランスから出力されている電圧を検知したり、磁束を検知したりしても良い。これは、漏れ電流検知回路２を、検知対象に適したセンサ等に置き換えることにより可能である。
【符号の説明】
【００６３】
１，１Ａ，１Ｂ                      トランス異常検知装置
２                                  漏れ電流検知回路（検知手段）
３                                  増幅回路
４                                  ＬＥＤ（報知手段・発光素子）
５                                  比較器
１０                                高電圧発生装置
１１                                電源プラグ
１２                                メインスイッチ
１３，１３ａ，１３ｂ                出力スイッチ
１４                                ＡＣ／ＤＣ変換器
１５                                高圧トランス
１６                                マイコン
１７                                操作部
１８，１８ａ，１８ｂ                電極
１９                                降圧変圧器
２１                                アンテナ
１００                              電位治療装置
１０１                              椅子
１０２                              操作部
１０３，１０４                      通電部
【図１】
2019032204.tif 000003
【図２】
2019032204.tif 000004
【図３】
2019032204.tif 000005
【図４】
2019032204.tif 000006
【図５】
2019032204.tif 000007
【図６】
2019032204.tif 000008